(57)【特許請求の範囲】
【請求項１】
第一コイルを有する第一層であって、前記第一コイルはおおむね「８」の形状を有する、前記第一層と、
第二コイルを有する第二層であって、前記第一および第二コイルは、互いに対し積み重ねられ、導電性材料を備えるハウジング部材の開口部に位置するように構成される、前記第二層と、
前記第二層の下位に配置された第三層であって、前記第三層は、前記第二コイルが前記第一コイルとフェライト部材との間になるように前記第二コイルの下位に配置された前記フェライト部材を備える、前記第三層と、
を備える装置。
【請求項２】
前記第一コイルが通信コイルであり、前記第二コイルが充電コイルである、請求項１に記載の装置。
【請求項３】
前記第一層及び前記第二層にはフェライトは含まれない、請求項１または請求項２に記載の装置。
【請求項４】
前記装置が、前記第一層と第二層との間に配置された第四層をさらに備え、前記第四層が印刷回路基板を備える、請求項１から３のいずれかに記載の装置。
【請求項５】
前記フェライト部材がその中に少なくとも一つの開口部を備え、前記第一および第二コイルは、光および／または音が前記第一、第二、および第三層を通り抜けることができるように成形される、請求項４に記載の装置。
【請求項６】
前記印刷回路基板がその中に、光が前記印刷回路基板を通り抜けることができるように、少なくとも一つの開口部を備える、請求項４または請求項５に記載の装置。
【請求項７】
前記フェライト部材がその中に少なくとも一つの開口部を備え、前記第一および第二コイルは、光および／または音が前記第一、第二、および第三層を通り抜けることができるように成形される、請求項１に記載の装置。
【請求項８】
前記第一、第二、および第三層が、前記ハウジング部材中の前記開口部に収まるような大きさにされ、成形される、請求項１から７のいずれかに記載の装置。
【請求項９】
前記ハウジング部材を備えるハウジングと、
カメラと、
前記カメラ、前記第一コイル、および前記第二コイルを接続されたコントローラであって、前記コントローラは、プロセッサとソフトウェアを含む少なくとも一つのメモリとを有する印刷回路基板を備える、前記コントローラと、
前記コントローラに接続された電子ディスプレイと、
前記コントローラに接続された受信器と、
前記コントローラに接続された送信器と、
前記コントローラに接続された再充電式バッテリと、
をさらに備える、請求項１から８のいずれかに記載の装置。
【請求項１０】
前記第一〜第三層がモジュールとして固定的に接続され、前記モジュールは、単一のアセンブリとして前記ハウジング部材に接続されるように構成される、請求項１から９のいずれかに記載の装置。
【請求項１１】
前記装置が、前記ハウジング部材を有する携帯電子デバイスである、請求項１から１０のいずれかに記載の装置。
【請求項１２】
第一コイルを有する第一層と、
第二コイルを有する第二層であって、前記第一および第二コイルは、互いに対し積み重ねられ、導電性材料を備えるハウジング部材の開口部に位置するように構成される、前記第二層と、
前記第二層の下位に配置された第三層であって、前記第三層は、前記第二コイルが前記第一コイルとフェライト部材との間になるように前記第二コイルの下位に配置された前記フェライト部材を備える、前記第三層と、
を備える装置であって、前記第一コイルまたは前記第二コイルがおおむね「８」の形状を有する、装置。
【請求項１３】
前記第一コイルが通信コイルであり、前記第二コイルが充電コイルである、請求項１２に記載の装置。
【請求項１４】
前記第一コイルが充電コイルであり、前記第二コイルが通信コイルである、請求項１２に記載の装置。
【請求項１５】
第二コイルの上方に第一コイルを配置することと、
前記第二コイルの下方にフェライト部材を配置することであって、前記第一コイル及び前記第二コイルと前記フェライト部材とがスタックにアセンブルされる、前記フェライト部材を配置することと、
を含む方法であって、前記第一コイルまたは前記第二コイルがおおむね「８」の形状を有する、方法。
【請求項１６】
前記第一コイルが通信コイルであり、前記第二コイルが充電コイルである、請求項１５に記載の方法。
【請求項１７】
前記第一コイルが充電コイルであり、前記第二コイルが通信コイルである、請求項１５または請求項１６に記載の方法。
【請求項１８】
前記方法が、前記第一コイルと第二コイルとの間に印刷回路基板を配置することをさらに備え、前記印刷回路基板が、前記スタックの一層である、請求項１５〜１７のいずれかに記載の方法。
【請求項１９】
前記第一および第二コイルを前記印刷回路基板に電気的に接続することをさらに備える、請求項１８に記載の方法。
【請求項２０】
光および／または音が前記スタックを通り抜けることができるようになされ、前記フェライト部材および前記印刷回路基板のそれぞれを貫通する、少なくとも一つの開口部を設けることをさらに備える、請求項１５〜１８のいずれかに記載の方法。
【発明の詳細な説明】
【技術分野】
【０００１】
本例示的且つ非限定の諸実施形態は、一般に装置中の、さらに具体的には導電性材料を備えるハウジング部材を有する装置中のコイルの構成に関する。
【従来の開発の簡単な説明】
【０００２】
金属ハウジングを有する、例えば携帯電話などの携帯電子デバイスが知られている。近距離場で動作する近距離場通信コイルを用いる、近距離無線通信（ＮＦＣ：Ｎｅａｒ  Ｆｉｅｌｄ  Ｃｏｍｍｕｎｉｃａｔｉｏｎ）および無線周波数認識（ＲＦＩＤ：Ｒａｄｉｏ  Ｆｒｅｑｕｅｎｃｙ  ＩＤｅｎｔｉｆｉｃａｔｉｏｎ）などの短距離通信システムが知られている。誘導コイルを用いる再充電式バッテリの充電が知られている。
【摘要】
【０００３】
以下の摘要は単に例示を意図したものである。本摘要が、特許請求の範囲を限定することは意図されてない。
【０００４】
一態様によれば、或る装置において例示の実施形態が提供され、本装置は、第一コイルを有する第一層であって、第一コイルがおおむね「８」の形状を有する、該第一層と、第二コイルを有する第二層であって、第一および第二コイルは互いに対し積み重ねられ、導電性材料を備えるハウジング部材の開口部に位置するように構成される、該第二層と、第二層の下位に配置された第三層であって、第三層は、第二コイルが第一コイルとフェライト部材との間にあるように、第二コイルの下位に配置された該フェライト部材を備える、該第三層と、を備える。
【０００５】
別の例示の実施形態によれば、第一コイルを有する第一層と、第二コイルを有する第二層であって、第一および第二コイルは互いに対し積み重ねられ、金属ハウジング部材の開口部に位置するように構成される、該第二層と、第二層の下位に配置された第三層であって、第三層は、第二コイルが第一コイルとフェライト部材との間になるように第二コイルの下位に配置された該フェライト部材を備える、該第三層と、を備える装置が提供され、第一コイルまたは第二コイルはおおむね「８」の形状を有する。
【０００６】
方法の或る例示の実施形態は、第二コイルの上方に第一コイルを配置することと、第二コイルの下方にフェライト部材を配置することとを備えることができ、これらコイルとフェライト部材とはスタックにアセンブルされ、第一コイルまたは第二コイルはおおむね「８」の形状を有する。
【０００７】
以下の記載において、前述の態様および他の特徴を添付の図面に関連させて説明する。
【図面の簡単な説明】
【０００８】
【図１】本明細書に記載の特徴を備えた装置の例示の実施形態の前面図である。
【図２】図１に示された装置の背面図である。
【図３】図１〜２に示された装置の一部の構成部品を表す図である。
【図４】短距離ワイヤレス通信システムを使用して別のデバイスと通信している、図１〜２に示された装置を表す図である。
【図５】第二コイルを有するワイヤレス充電システムを使用してバッテリを再充電している、図１〜２に示された装置を表す図である。
【図６】図２に示された装置の構成部品の一部の分解図である。
【図７】図６に示された構成部品の一部の拡大分解図である。
【図８】図２に示された装置の部分断面図である。
【図９】別の例示の実施形態の図７と同様な分解図である。
【図１０】別の例示の実施形態の図２と同様な背面側の図である。
【図１１】別の例示の実施形態の部分透視図である。
【図１２】図１１に示された第一コイル上の表面電流を表す図である。
【図１３】図１１に示された第二コイル上の表面電流を表す図である。
【図１４】図１１に示された構成部品を有する、図２に示された金属カバー上の表面電流を表す図である。
【図１５】別の例示の実施形態の図７と同様な分解透視図である。
【図１６】別の例示の実施形態の図６と同様な分解透視図である。
【図１７】例示の方法を表す図である。
【実施形態の詳細説明】
【０００９】
図１を参照すると、例示の実施形態の特徴を組み込んだ装置１０の正面図が示されている。図面中に示された例示の実施形態を参照しながらこれらの特徴を説明することになるが、当然のことながら特徴は多くの別の形の実施形態中に具現化することが可能である。さらに、任意の適切なサイズ、形状、または種類の素子または材料を用いることができよう。
【００１０】
装置１０は、例えば、電話アプリケーションを含む通信デバイスなど、ハンドヘルド携帯装置であってもよい。示された例において、装置１０は、カメラおよびカメラアプリケーションを含むスマートフォンである。装置１０は、これに加えまたはこれに換えて、インターネットブラウザアプリケーション、ビデオレコーダアプリケーション、ミュージックプレイヤおよびレコーダアプリケーション、ｅメールアプリケーション、ナビゲーションアプリケーション、ゲームアプリケーション、および／または任意の他の適切な電子デバイスアプリケーションを備えてもよい。別の例示の実施形態において、この装置は、スマートフォンであるとは限らず、代わりに、以下に限らないが、例えば、携帯電話、音声および／または映像を再生および／または記録することが可能なメディアデバイス、携帯コンピュータ、タブレットコンピュータ、ラップトップ、移動スポーツデバイス、移動医療デバイス、移動ナビゲーションデバイス、および／または移動通信デバイスであってもよい。
【００１１】
また、図２〜３も参照すると、この例示の実施形態において、装置１０は、ハウジング１２、タッチスクリーン１４、受信器１６、送信器１８、コントローラ２０、再充電式バッテリ２６、およびカメラ３０を備える。但し、以下に記載の特徴を実装するために、これらの特徴のすべてが必要なわけではない。コントローラ２０は、少なくとも一つのプロセッサ２２、少なくとも一つのメモリ２４、およびソフトウェア２８を含むことが可能である。ハウジング１２内部の電子回路は、基板上にコントローラ２０などの構成部品を有する少なくとも一つの印刷回路基板（ＰＷＢ：ｐｒｉｎｔｅｄ  ｗｉｒｉｎｇ  ｂｏａｒｄ）２１を備えることができる。受信器１６および送信器１８は、装置１０が、例えば携帯電話基地局などのワイヤレス電話システムと通信することを可能にするための主要な通信システムを形成する。
【００１２】
この例において、装置１０は、該装置の背面側１３に配置されたカメラ３０と、前面カメラ３２と、ＬＥＤ３４と、フラッシュシステム３６とを含む。ＬＥＤ３４およびフラッシュシステム３６は、装置の背面側に見えており、カメラ３０のために設けられている。カメラ３０、３２、ＬＥＤ３４、およびフラッシュシステム３６は、コントローラ２０がこれらの動作を制御できるように、コントローラ２０に接続される。別の例示の実施形態において、背面側には、複数のカメラ、および／または複数のフラッシュ／ＬＥＤを備えることができ、かつ／または前面側には、複数のカメラを備えることができよう。あるいは、前面および／または背面側に、カメラ３２、ＬＥＤ３４、またはフラッシュシステム３６のうちの一つだけを備えてもよい。装置１０は、マイクロフォン３８として設けられたサウンドトランスデューサを含む。別の例において、本装置には、複数のマイクロフォン備えることが可能である。装置１０は、受話口４０として設けられたサウンドトランスデューサ、およびスピーカ４２として設けられたサウンドトランスデューサを含む。一つより多いまたは少ないスピーカを設けてもよい。
【００１３】
また、図３に示されるように、この例示の実施形態では、装置１０は、短距離ワイヤレス通信システム４４およびワイヤレス充電（ＷＬＣ：ｗｉｒｅｌｅｓｓ  ｃｈａｒｇｉｎｇ）システム４６も含む。この短距離ワイヤレス通信システム４４は、例えば、近距離無線通信（ＮＦＣ）システム、または無線周波数認識（ＲＦＩＤ）通信システムであってよい。また図４を参照すると、短距離ワイヤレス通信システム４４はコイル４８を含む。コイル４８は、ワイヤレスリンク５２によって示されるように別のデバイス５０と情報を送信および受信するようになされている。コイル４８は、「遠距離場」とは対照的に「近距離場」中で情報を送信および／または受信するようになされた通信コイルであるが、それでもなお電磁気ワイヤレス通信の能力を有する。
【００１４】
また、図５を参照すると、ワイヤレス充電システム４６は、バッテリ２６を充電するための誘導充電システムとすることができる。ワイヤレス充電システム４６は、ワイヤレス充電コイル５４を含む。このコイル５４は、コイル５４中に電流を誘導するため充電器５６中のコイルと協働する誘導コイルとして用いられる。この電流は、バッテリ２６を再充電するために使うことができる。送受給それぞれのデバイス内の、エネルギの送給部および受給部の各々に用いられる２つのコイルの間に小さなギャップがあることにより、誘導充電は、ユーザがこれら２つのデバイスの間の配線を取り扱う必要をなくすので、短距離「ワイヤレス」エネルギ伝達と見なされる。
【００１５】
２つのコイル４８、５４は、両方とも基本的には「誘導コイル」として用いられ、一方は通信目的（ＲＦＩＤもしくはＮＦＣ、または将来創成され得る何らか他のプロトコル）のために使われ、他方はワイヤレス充電のために使われる。但し、両コイルとも基本的にはインダクタ、すなわち劣弱な放射体であり、したがって「近距離場」においてだけ放射し「遠距離場」には放射しない。
【００１６】
また、図６を参照すると、分解図中に装置１０の一部が示されている。この例示の実施形態において、ハウジング１２は、金属製の背面側部材５８を含む。但し、本明細書に記載の特徴は、例えば、導電材料の層でコートされたプラスチックハウジング部材など、金属以外の材料（群）で作製されたハウジング部材に用いることも可能である。この例では、開口部６０が、背面側部材５８中に設けられている。本例示の実施形態は、開口部６０中に配置されたモジュール６２を備える。
【００１７】
また、図７を参照すると、モジュール６２の拡大図が示されている。モジュール６２は、一般に、印刷回路基板（ＰＷＢ）６４（単に簡潔化のため図７には示されず、単に簡潔化のため図６にはシルエットで示されている）と、第一コイル４８と、第二コイル５４と、フェライト部材６６とを備える。別の例示の実施形態では、これらの部材の一つ以上が、モジュールとしては設けられないこともあり得る。図示の例示の実施形態において、部材６６、５４、６４、４８は図示の順序で積み重ねられる。ＰＷＢ６４は、２つのコイル４８、５４へコントローラ２０の電気接続の少なくとも一部を提供する。
【００１８】
また、図８を参照すると、モジュール６２は、カメラ３０を形成するモジュール３１の上方に配置されている。別の例示の実施形態では、モジュール３１は、カメラに加えてまたはカメラ以外の、任意の適切な種類のマルチメディア構成部品であってよい。モジュール６２の上方にガラスカバー６８が設けられる。ガラスカバー６８は、例えば、フレーム部材７２および接着剤７０によってハウジング部材５８に接続される。モジュール３１は、印刷回路基板７４上に搭載され、フレーム部材７２に接続される。これは、カメラモジュール３１を、ハウジング部材５８中を貫通する開口部６０の近傍に明確に位置付ける。また、モジュール６２は、モジュール６２が開口部６０の近傍で且つカメラモジュール３１の上方に明確に位置付けられるように、ガスケットおよび／または接着剤７６によってフレーム部材７２に搭載される。別の例示の実施形態の一種では、コイル４８は、接着剤などによってガラスカバー６８の内側面に付着されてもよい。以下に記載の各種の例示の実施形態の一つからさらに理解されるように、モジュール６２は、モジュール３１の上方に配置しなくてもよい場合もあり得る。モジュール６２は、構成部品３１から離して配置することも可能であろう。
【００１９】
この例示の実施形態では、モジュール６２は、カメラモジュール３１の上方に配置されている。但し、前述のように、別の例示の実施形態では、モジュール６２がカメラモジュール３１の上方に配置されるとは限らない。別の例示の実施形態としては、本装置はカメラまたはカメラモジュールを備えていないこともあろう。図示の例では、コイルモジュール６２がカメラの上方に配置されているので、カメラ３０への画像、フラッシュシステム３６からのフラッシュ、赤目軽減のためのＬＥＤからのフラッシュ、自動焦点または距離計ビームなどの諸機能がモジュール６２を通り抜けるのを可能にするよう調節される。この特定の例において、フェライト６６およびＰＷＢ６４は、これらの機能のための開口部７８、７９、８０、８１を備え、２つのコイル４８、５４は、光が遮られることなく部材６６、５４、６４、４８を通り抜けるための開口を形成する特定の形状を有する。この例では、５つの開口部７８〜８１が示されているが、５つより多いまたは少ない開口部を設けることも可能である。これらの開口部は、一般に、一つ以上のフラッシュ、一つ以上のカメラ、内蔵ハンズフリースピーカ（群）（ＩＨＦ：ｉｎｔｅｒｎａｌ  ｈａｎｄｓ  ｆｒｅｅ  ｓｐｅａｋｅｒ）などのマルチメディア構成部品のために設けられる。これら開口部の位置は、図示された例示の実施形態に限らない。また、これらの穴部の一つ以上によって、光だけでなく音の通過をもたらすことも可能である。
【００２０】
図７で最もよく分かるように、第二コイル５４は、一般的なリング形状を有し、フェライト６６の上方に配置されている。このコイルは、光が通り抜けるため穴部８１と協働するための内側へのサイドノッチを付けて成形される。別の例示の実施形態では、このサイドノッチが設けられるとは限らない。コイル５４の相対的に大きな中央開口部８２は、光が、例えばカメラ３０およびフラッシュシステム３６など様々な光学構成部品に行き来し開口部８２を通り抜けて移動するための大きな開口領域を提供する。別の実施形態において、例えば、以下に限らないが一つ以上のスピーカ、ＩＨＦ、マイクロフォンなどのオーディオ構成部品が、イメージング関連構成部品（カメラ、フラッシュ、ＬＥＤなど）に置き換わることまたはそれらを補足することも可能であろう。例えば、開口部８２は、音がコイル５４を通り抜けて移動するために十分なスペースを提供することができる。印刷回路基板６４は、２つのコイル４８、５４の間に挟み込まれる。第一コイル４８は、ＰＷＢ６４の上面に搭載され、この例示の実施形態では、「８」の字の全体的形状を有する。コイル４８の形状は、通り抜けのため穴部８１と協働する開口部８４、８５を提供する。また、コイル４８の形状は、それぞれの通り抜けのため穴部７８、７９、８０と協働する３つの部分８６Ａ、８６Ｂ、８６Ｃを有する中央領域開口部も提供する。
【００２１】
前述したように、本明細書に記載の特徴は、カメラに使われる必要はない。また、例えば図９〜１０を参照すると、モジュール６２'は、装置１０'中でカメラ３０およびフラッシュシステム３６から離して用いることも可能である。この例では、フェライト６６'およびＰＷＢ６４'は、開口部７８〜８１のような開口部は必要がなく有していない。後記の説明からさらに理解されるように、例えば、ハウジング１２'の背面カバー１３'が金属から成る場合などに、モジュール６２'を設けることができる。
【００２２】
また、図１１を参照すると、カメラの上方で用いるための別の例示の実施形態が示されている。構成部品として、第一コイル４８'、第二コイル５４'およびフェライト６６"が含まれる。フェライト６６'は、穴部７８'、８１を含み、コイル４８'、５４'は、カメラが画像を捕捉するための、および光が構成部品を通り抜けるための妨げのない経路を提供するように成形される。第一コイル４８'は「８」の字の全体的形状を有する。第一コイル４８'は、第二コイル５４'の上方に配置される。フェライト６６'は、第二コイル５４'の下位に配置される。ＰＷＢ（図示せず）は、前述の実施形態と同様に、コイル５４'、４８'の間に設けてもよい。
【００２３】
本明細書に記載の特徴は、携帯電子デバイスのための近距離場通信コイルおよび／または電磁結合の構成に用いることができる。導電性カバーまたはハウジングを有する携帯デバイス中に、すべての必要なアンテナ性能基準を満たすかかるアンテナ構成を備えることは困難な課題である。本明細書に記載の特徴は、第一コイルが（例えば、１３．５６ＭＨｚなどの）ＲＦＩＤまたはＮＦＣ近距離場システムにおいて動作し、第二コイルがＷＬＣ（ワイヤレス充電）プロトコル（例えば、Ｑｉ−最大４ｃｍ（１．６インチ）までの距離を介した誘導電力伝達のため、ワイヤレスパワーコンソーシアムによって作成されたインターフェース規格）において動作する、デュアルコイル構成を用いることができる。これら２つのコイルは、Ｚ軸で一方を他方の上に積み重ね、同一の強磁性部材を共用してもよい。第一コイルは、「８」の字の形状に巻いてもよい。第一コイルは、強磁性部材から最も遠く、かつ携帯デバイスの導電性ハウジングの外部表面に最も近くしてもよい。携帯デバイスのハウジングは、ハウジングの背面中に形成された開口部を有することができ、その中にコイル群と強磁性部材とのスタックが収納される。また、カメラのレンズおよび／またはフラッシュも、コイルの内周内側に含めてもよい。
【００２４】
本明細書に記載の特徴は、携帯デバイス導電性ハウジング中に形成された開口部内で動作するデュアル近距離場コイルソリューションを提供することができる。フェライト／磁性部材は一つだけが必要である。また、このスタックが、カメラのレンズおよび／またはフラッシュを取り囲むことも可能である。通信コイルの「８」の字の形状に起因して強い渦電流は発生せず、これは通信距離またはパフォーマンスを向上させる。また、これらコイルの間での干渉はほとんどない。しかして、これらは、混みあった体積の中で相互に共存することが可能である。
【００２５】
「８」の字に巻かれ、（例えば、ＮＦＣのための）第一周波数帯域で共振するよう構成された第一コイルと、第一周波数帯域とは異なる、（例えばＷＬＣのための）第二周波数帯域で共振するよう構成された第二コイルとを備えたコイル構成を提供することができ、第一および第二コイルの少なくとも一つが少なくとも部分的に他方コイルの上方に配置され、これらコイルは、携帯デバイスのハウジング中に形成された開口部内に配置されるように構成され、該ハウジングは導電性材料を備え、これらコイルは、第二コイルが第一コイルとフェライト部材との間に位置するように、該フェライト部材の上方に配置される。
【００２６】
また、図１２を参照すると、第一コイル４８'上の表面電流を表す図が示されている。金属カバー上の表面電流の大部分は、第一コイル上の表面電流に対して位相がずれている。金属カバー上の表面電流から生成される磁場は、第一コイルによって生成される磁場を阻害することはない。
【００２７】
この型の構造がなければ、金属カバー上の表面電流の大部分が第一コイル上の表面電流と反対方向になるであろう。渦電流によって生成された金属カバー上の磁場が、第一コイルにより生成された磁場強度を低下させることになろう。しかして、ＮＦＣまたはＷＬＣ全体が金属カバーの下にある場合、そのどちらも機能しないことになろう。これは、ＷＬＣコイルおよび金属カバー上の表面電流の大部分が、ＮＦＣ上の表面電流の反対方向になり、相互に打消しあうことになるであろうからである。ＮＦＣコイルとＮＦＣフォーラムポーラ０のコイルとの劣弱な結合（例えば−３８ｄＢなど）が観測されることになろう。ＷＬＣに対して劣弱な充電効率が観測されよう。
【００２８】
本明細書に記載の特徴は、例えば、携帯デバイスの金属カバー上のカメラ開口部域などにあるＮＦＣおよびＷＬＣの双方に対し現実的なソリューションを提供する。本明細書に記載の特徴は、例えば、金属プレートの円形開口部の中に組み込まれたような、Ｚ方向に積み重ねられた、単一のフェライトを共用する８形状の第一コイルと第二コイルとを提供することができる。
【００２９】
（図１３に示されるような）ＷＬＣ上および（図１４に示されるような）金属カバー上の表面電流の大部分は、（図１２に示されるような）ＮＦＣ上の表面電流に対して位相がずれるようにすることが可能である。したがって、ＷＬＣおよび金属から生成される場は、ＮＦＣコイルによって生成される磁場を阻害しない。ＮＦＣコイルとＮＦＣフォーラムポーラ０と間の良好な結合（例えば約−１６ｄＢなど）が観測できよう。ＷＬＣに対する良好な充電効率が観測できよう。
【００３０】
これら構成部品のすべての積み重ね順序がうまく機能するわけではない。第一コイル４８を最上部に、第二コイル５４を中間に、フェライト６６を底部にすることによって、ＮＦＣおよびＷＬＣの両方が好ましいパフォーマンスを有する。図１５は、第一コイル４８がフェライト６６と第二コイル５４との間に配置された、別の構成を示す。このＷＬＣのパフォーマンスは良好であろうが、第一コイル４８による短距離通信は、図７に示された構成ほどには良好でなかろう。他のどの積み重ね構成も、第一コイル４８による劣弱な短距離通信の問題もしくは第二コイル５４による劣弱な誘導充電の問題のいずれかをもたらし得る。
【００３１】
図１６は、第一コイル４８"がフェライト６６'''と第二コイル５４"との間に配置された、別の構成を示す。但し、この例では、第二コイル５４"の直径は、第一コイル４８"よりも小さい。さらに、フェライト６６'''および第一コイル４８"は、ハウジング部材５８中の開口部６０よりも大きい。しかして、第一コイル４８"およびフェライト６６'''は、少なくとも部分的に金属ハウジング部材５８の下側に配置され得る。
【００３２】
ＷＬＣおよびＮＦＣに対する最新の自主フレックス技術の使用によって、アセンブリ中の構成部品の積み重ねは、ガスケットからガラスまでで１０部品となり得る。これらの層およびサブ層の設置を許容するには、ＸおよびＹ方向に多くの付加的なスペースが必要となろう。さらに、使用される材料（フレックス材、接着剤、ガスケット）が平坦でないことから、これらアセンブリの平面表面をガラスより下方に維持することが大きな問題となり得る。このことは、設置後のガラスが平坦にならず、信頼性および／または外観品質の問題を生じさせる可能性を残す。本明細書に記載の特徴を使えば、アセンブリ中の構成部品の積み重ねが今やガスケットからガラスまでで６部品だけになるようにして、第二コイル５４および短距離通信コイル４８の双方に対するＰＷＢ６４の組み合わせを設けることが可能となる。これは、ＮＦＣフレックス材、接着剤、スペーサ、接着剤、ＷＬＣフレックス材のすべてが上記では一つの部品に組み合わされているからである。
【００３３】
通信コイルの８の字型の構成を用いて、金属カバーの中で該コイルを機能させることができる。フェライト／磁性体６６は、２つの異なる磁性体でなく、１つが必要なだけである。或る例示の実施形態が、短距離通信のための「８」の字のコイル、誘導充電のための通常型のコイルを備えるアンテナ構成において提供され、これらのコイルは、金属ハウジング部材中の開口部内にＺ方向に積み重ねられ、そして第二コイルが短距離通信コイルとフェライト部材との間になるように該フェライト部材の上方に積み重ねられ、この開口部は携帯デバイスの導電性ハウジング中に形成される。該開口部は、アンテナ構成と同一場所に配置された電子構成部品（例えばカメラ）を受け入れるように構成されてもよい。
【００３４】
或る装置において例示の実施形態が提供でき、本装置は、第一コイルを有する第一層であって、該第一コイルはおおむね「８」の形状を有する、該第一層と、第二コイルを有する第二層であって、第一および第二コイルは互いに対し積み重ねられ、それらコイルが金属ハウジング部材の開口内に位置するように構成される、該第二層と、第二層の下位に配置された第三層であって、第三層は、第二コイルが第一コイルとフェライト部材との間になるように第二コイルの下位に配置された該フェライト部材を備える、該第三層と、を備える。
【００３５】
この第一コイルは通信コイルであり、第二コイルは充電コイルである。このフェライト部材は、層群中の唯一のフェライト部材とすることができる。本装置は、第一層と第二層との間に配置された第四層をさらに備えることが可能で、この第四層は印刷回路基板を備える。フェライト部材はその中に少なくとも一つの開口部を備えることができ、第一および第二コイルは、光が、第一、第二、および第三層を通り抜けることができるように成形が可能である。印刷回路基板は、光が該印刷回路基板を通り抜けることができるように、その中に少なくとも一つの開口部を備えることができる。フェライト部材はその中に少なくとも一つの開口部を備えることが可能で、第一および第二コイルは、光および／または音が、第一、第二、および第三層を通り抜けることができるように成形される。第一、第二、および第三層は、金属ハウジング部材中の開口部に収まるような大きさにし、成形してもよい。本装置は、カメラと、カメラ、第一コイル、および第二コイルを接続されたコントローラであって、該コントローラは、プロセッサとソフトウェアを含む少なくとも一つのメモリとを有する印刷回路基板を備える、該コントローラと、コントローラに接続された電子ディスプレイと、コントローラに接続された受信器と、コントローラに接続された送信器と、コントローラに接続された再充電式バッテリと、をさらに備えることが可能である。本装置は、装置の金属ハウジングを通り抜けて誘導充電および短距離ワイヤレス通信を提供する手段をさらに備えることができる。これらの層の少なくとも２つを、モジュールとして相互に固定的に接続することが可能で、このモジュールは、単一のアセンブリとしてハウジング部材に接続されるように構成される。本装置は、ハウジング部材を有する携帯電子デバイスであってもよい。
【００３６】
或る装置において例示の実施形態が提供でき、本装置は、第一コイルを有する第一層と、第二コイルを有する第二層であって、第一および第二コイルは互いに対し積み重ねられ、それらコイルが金属ハウジング部材の開口部に位置するように構成される、該第二層と、第二層の下位に配置された第三層であって、第三層は、第二コイルが第一コイルとフェライト部材との間になるように第二コイルの下位に配置された該フェライト部材を備える、該第三層と、を備え、第一コイルまたは第二コイルはおおむね「８」の形状を有する。この第一コイルは通信コイルであってもよく、第二コイルは充電コイルであってもよい。第一コイルが充電コイルであって、第二コイルが通信コイルであってもよい。
【００３７】
また、図１７を参照すると、或る例示の方法は、ブロック９０に示されるように、第二コイルの上方に第一コイルを配置することと、ブロック９２に示されるように、第二コイルの下方にフェライト部材を配置することとを備えることができ、これらコイルおよびフェライト部材はスタックにアセンブルされ、第一コイルまたは第二コイルはおおむね「８」の形状を有する。この第一コイルは通信コイルであってもよく、第二コイルは充電コイルであってもよい。第一コイルが充電コイルであって、第二コイルが通信コイルであってもよい。本方法は、第一コイルと第二コイルとの間に印刷回路基板を配置することをさらに備え、この印刷回路基板はスタックの一層である。本方法は、第一および第二コイルを印刷回路基板に電気的に接続することをさらに備えることができる。本方法は、光および／または音がスタックを通り抜けることができるようになされた、フェライト部材および印刷回路基板のそれぞれを貫通する、少なくとも一つの開口部を設けることをさらに備えることが可能である。
【００３８】
当然のことながら、前述の説明は単なる例示である。当業者は、様々な代替および修改を考案することが可能である。例えば、各種の従属請求項中に記載された特徴は、任意の適切な組み合わせ（群）に互いに組み合わせることができよう。さらに、前述の各種実施形態からの特徴を、新規の実施形態の中に選択的に組み合わせることも可能であろう。したがって、本明細書は、添付の特許請求の範囲に含まれるかかる全ての代替、修改、および変形を包含するよう意図されている。
【図１】
0006348977.tif 000002
【図２】
0006348977.tif 000003
【図３】
0006348977.tif 000004
【図４】
0006348977.tif 000005
【図５】
0006348977.tif 000006
【図６】
0006348977.tif 000007
【図７】
0006348977.tif 000008
【図８】
0006348977.tif 000009
【図９】
0006348977.tif 000010
【図１０】
0006348977.tif 000011
【図１１】
0006348977.tif 000012
【図１２】
0006348977.tif 000013
【図１３】
0006348977.tif 000014
【図１４】
0006348977.tif 000015
【図１５】
0006348977.tif 000016
【図１６】
0006348977.tif 000017
【図１７】
0006348977.tif 000018